(57)【要約】【課題】タブレットパソコンで複雑なソフトウェアを処理することができるようにするコンピューターシステムを提供すること。【解決手段】ノートブック型パーソナルコンピューターベース及びタブレットパソコンを備え、ノートブック型パーソナルコンピューターベースは、ノートブック型パーソナルコンピューターホスト及び支持ブラケットを備え、支持ブラケットには収容部が形成され、収タブレットパソコンを収容部内に取り付けると、コネクターは接続インターフェースに接続し、ノートブック型パーソナルコンピューターホストをパワーオンして、タブレットパソコンをスタートオンし、且つユーザーがタブレットパソコンの第一操作システムを選択する場合、タブレットパソコンは、表示装置及びハードディスクとして、ノートブック型パーソナルコンピューターホストと通信する。【選択図】図１
2012141961.tif 000002
【特許請求の範囲】
【請求項１】
ノートブック型パーソナルコンピューターベース及び前記ノートブック型パーソナルコンピューターベースに着脱可能に取り付けられるタブレットパソコンを備えてなるコンピューターシステムであって、
前記ノートブック型パーソナルコンピューターベースは、ノートブック型パーソナルコンピューターホスト及び前記ノートブック型パーソナルコンピューターホストに枢着する支持ブラケットを備え、前記支持ブラケットには、前記タブレットパソコンを収容するための収容部が形成され、前記収容部には、前記ノートブック型パーソナルコンピューターホスト内のマザーボードに接続されるコネクターが設置され、
前記タブレットパソコンには、接続インターフェースが設置され、
前記タブレットパソコンを前記収容部内に取り付けると、前記コネクターは前記接続インターフェースに接続し、前記ノートブック型パーソナルコンピューターホストをパワーオンして、前記タブレットパソコンをスタートオンし、且つユーザーが前記タブレットパソコンの第一操作システムを選択する場合、前記タブレットパソコンは、表示装置及びハードディスクとして、前記ノートブック型パーソナルコンピューターホストと通信することを特徴とするコンピューターシステム。
【請求項２】
前記支持ブラケットは、背板と、前記背板から前に向かって直交して延在する４つの側壁と、４つの前記側壁の頂部を接続し且つ前記背板に平行する前板と、を備え、前記前板は、前記背板に向かって凹んで前記収容部を形成し、前記前板の底部は、前記ノートブック型パーソナルコンピューターホストに接続することを特徴とする請求項１に記載のコンピューターシステム。
【請求項３】
前記収容部の底板には、前記コネクターが設置され、前記収容部の対向する２つの側壁及びその上板には、それぞれ伸縮可能な係合部材が設置され、前記タブレットパソコンを前記収容部内に係合固定するために用いられることを特徴とする請求項２に記載のコンピューターシステム。
【請求項４】
前記タブレットパソコンは、第二操作システムも有し、ユーザーが前記第二操作システムを選択する場合、前記タブレットパソコンは、前記ノートブック型パーソナルコンピューターホストと通信せずに、独立のシステムとして操作できることを特徴とする請求項３に記載のコンピューターシステム。
【発明の詳細な説明】
【技術分野】
【０００１】
本発明は、コンピューターシステムに関するものである。
【背景技術】
【０００２】
タブレットパソコンの迅速な発展に伴い、その機能も高度になり、簡単な娯楽応用のほかに、事務用及び家庭用に広く応用されている。
【発明の概要】
【発明が解決しようとする課題】
【０００３】
しかし、事務室でモバイルオフィスを必要とせずに、且つ複雑なソフトウェアを処理する場合、特にプロセッサー及び画像処理速度に対する要求が高い場合、タブレットパソコンでは、ユーザーの需要を満たすことができない。このような場合には、重要なファイルはノートブック型パーソナルコンピューターに伝送して処理を行ってから、再びタブレットパソコンに伝送するので、操作が面倒である。
【０００４】
本発明の目的は、前記課題を解決し、タブレットパソコンで複雑なソフトウェアを処理することができるようにするコンピューターシステムを提供することである。
【課題を解決するための手段】
【０００５】
本発明に係るコンピューターシステムは、ノートブック型パーソナルコンピューターベース及び前記ノートブック型パーソナルコンピューターベースに着脱可能に取り付けられるタブレットパソコンを備え、前記ノートブック型パーソナルコンピューターベースは、ノートブック型パーソナルコンピューターホスト及び前記ノートブック型パーソナルコンピューターホストに枢着する支持ブラケットを備え、前記支持ブラケットには、前記タブレットパソコンを収容するための収容部が形成され、前記収容部には、前記ノートブック型パーソナルコンピューターホスト内のマザーボードに接続されるコネクターが設置され、前記タブレットパソコンには、接続インターフェースが設置され、前記タブレットパソコンを前記収容部内に取り付けると、前記コネクターは前記接続インターフェースに接続し、前記ノートブック型パーソナルコンピューターホストをパワーオンして、前記タブレットパソコンをスタートオンし、且つユーザーが前記タブレットパソコンの第一操作システムを選択する場合、前記タブレットパソコンは、表示装置及びハードディスクとして、前記ノートブック型パーソナルコンピューターホストと通信する。
【発明の効果】
【０００６】
本発明のコンピューターシステムの支持ブラケットには、収容部が設置され、前記収容部の底板には、ノートブック型パーソナルコンピューターホスト内のマザーボードに接続されるコネクターが設置され、タブレットパソコンの底部には、接続インターフェースが設置され、前記タブレットパソコンを前記収容部内に取り付けると、前記コネクターは前記接続インターフェースに接続し、前記ノートブック型パーソナルコンピューターホストをパワーオンして、前記タブレットパソコンをスタートオンし、且つ前記タブレットパソコンの第一操作システムを選択する場合、前記タブレットパソコンは、表示装置及びハードディスクとして、前記ノートブック型パーソナルコンピューターホストと通信するので、ユーザーは前記タブレットパソコンで複雑なソフトウェアを処理することができる。
【図面の簡単な説明】
【０００７】
【図１】本発明の実施形態に係るコンピューターシステムの分解斜視図である。
【図２】本発明の実施形態に係るコンピューターシステムのブロック図である。
【図３】図１に示すコンピューターシステムの組立斜視図である。
【発明を実施するための形態】
【０００８】
以下、図面を参照して、本発明の実施形態について説明する。
【０００９】
図１及び図２を参照すると、本発明の実施形態に係わるコンピューターシステム１００は、ノートブック型パーソナルコンピューターベース１及び前記ノートブック型パーソナルコンピューターベース１に取り付けられるタブレットパソコン２０を備える。前記ノートブック型パーソナルコンピューターベース１は、ノートブック型パーソナルコンピューターホスト１０及び前記ノートブック型パーソナルコンピューターホスト１０に枢着する支持ブラケット３０を備える。
【００１０】
前記ノートブック型パーソナルコンピューターホスト１０は、キャビネット１２と、前記キャビネット１２内に収容されるマザーボード１４と、前記キャビネット１２の上に設置されるキーボード１６及びマウスタッチボード１８と、を備える。前記キャビネット１２は、底板１２２と、前記底板１２２から上に向かって直交して延在する４つの側壁１２４と、４つの前記側壁１２４の頂部を接続し且つ前記底板１２４に平行する上板１２６と、を備える。前記上板１２６には、前記キーボード１６及び前記マウスタッチボード１８が設置される。前記上板１２６の後端には、前記支持ブラケット３０が枢着される。前記底板１２２、４つの壁１２４及び前記上板１２６が囲んで前記マザーボード１４を収容する収容空間を形成する。
【００１１】
前記マザーボード１４は、中央処理装置１４１と、電源１４２と、ノースブリッジ１４３と、サウスブリッジ１４４と、メモリー１４５と、ディスプレイカード１４６と、を備える。前記電源１４２は、前記中央処理装置１４１、前記ノースブリッジ１４３、前記サウスブリッジ１４４、前記メモリー１４５及び前記ディスプレイカード１４６に動作電圧を提供する。前記中央処理装置１４１、前記サウスブリッジ１４４、前記メモリー１４５及び前記ディスプレイカード１４６は、別々に前記ノースブリッジ１４３に接続される。
【００１２】
前記タブレットパソコン２０は、パワーモジュール２２と、中央処理装置２３と、ＬＣＤモジュール２４と、メモリー２５と、フラッシュメモリー２６と、を備える。前記中央処理装置２３は、前記ＬＣＤモジュール２４、前記メモリー２５及び前記フラッシュメモリー２６に接続される。前記タブレットパソコン２０の底部には、接続インターフェース２８が設置される。前記接続インターフェース２８は、前記パワーモジュール２２、前記ＬＣＤモジュール２４及び前記フラッシュメモリー２６に接続される。前記パワーモジュール２２は、前記ＬＣＤモジュール２４及び前記フラッシュメモリー２６に動作電圧を提供する。前記フラッシュメモリー２６には、第一操作システム及び第二操作システムが格納される。
【００１３】
前記支持ブラケット３０は、前記タブレットパソコン２０を支持するために用いられる。前記支持ブラケット３０は、背板３２と、前記背板３２から前に向かって直交して延在する４つの側壁３４と、４つの前記側壁３４の頂部を接続し且つ前記背板３２に平行する前板３６と、を備える。前記前板３６の底部は、前記ノートブック型パーソナルコンピューターホスト１０の上板１２６の後端に枢着される。前記前板３６は、前記背板３２に向かって凹んで前記タブレットパソコン２０を収容するための収容部３６２を形成する。前記収容部３６２の対向する２つの側壁３６２４及びその上部３６２６には、それぞれ伸縮可能な係合部材５０が設置され、前記タブレットパソコン２０を前記収容部３６２内に係合固定するために用いられる。前記収容部３６２の底部３６２２には、前記接続インターフェース２８に接続するコネクター４０が設置される。前記コネクター４０は、前記ノートブック型パーソナルコンピューターホスト１０のキャビネット１２の枢着スロット１２６２を通して、前記電源１４２、前記ディスプレイカード１４６及び前記サウスブリッジ１４４に接続される。
【００１４】
図３を参照すると、前記タブレットパソコン２０を前記収容部３６２に収容して、前記コネクター４０を前記接続インターフェース２８に挿入させる。前記タブレットパソコン２０は、前記係合部材５０によって、前記支持ブラケット３０に係合固定され、前記タブレットパソコン２０のパワーモジュール２２、ＬＣＤモジュール２４及びフラッシュメモリー２６は、前記接続インターフェース２８及び前記コネクター４０によって、前記ノートブック型パーソナルコンピューターホスト１０の電源１４２、サウスブリッジ１４４及びディスプレイカード１４６に接続される。前記ノートブック型パーソナルコンピューターホスト１０をパワーオンすると、前記電源１４２は前記パワーモジュール２２に電圧を提供して、前記タブレットパソコン２０がスタートオンされる。前記ディスプレイカード１４６は、前記ＬＣＤモジュール２４にビデオ信号を提供する。前記タブレットパソコン２０は、第一操作システム及び第二操作システムを表示して、ユーザーが選択するようにする。
【００１５】
ユーザーが前記第一操作システムを選択すると、前記タブレットパソコン２０は、表示装置及びハードディスクとして、前記ノートブック型パーソナルコンピューターホスト１０と通信し、具体的な通信過程は、ノートブック型パーソナルコンピューターの表示装置及びハードディスクがノートブック型パーソナルコンピューターホストと通信する原理と同じであるので、ここで詳しい説明を省略する。
【００１６】
ユーザーが前記第二操作システムを選択すると、前記タブレットパソコン２０は、前記ノートブック型パーソナルコンピューターホスト１０と通信しなく、独立のシステムとして操作できる。前記タブレットパソコン２０の独立的な動作原理は、従来の技術であるので、ここで詳しい説明を省略する。ユーザーは、自分の需要によって、前記第一操作システム及び前記第二操作システムを取り替えることができる。
【００１７】
前記収容部３６２に収容された前記タブレットパソコン２０を前記ノートブック型パーソナルコンピューターベース１とともに移動携帯する場合、前記支持ブラケット３０を前記ノートブック型パーソナルコンピューターホスト１０に向かって折り畳んで便利に携帯することができる。
【００１８】
前記タブレットパソコン２０を前記収容部３６２に収容して使用しない場合、前記タブレットパソコン２０をスタートオンしたら、ユーザーは前記第二操作システムを選択することを必要とする。
【００１９】
本発明のコンピューターシステム１００の支持ブラケット３０には、前記収容部３６２が設置され、前記収容部３６２の底部３６２２には、前記コネクター４０が設置され、前記タブレットパソコン２０の底部には、前記コネクター４０に接続可能な接続インターフェース２８が設置され、前記タブレットパソコン２０を前記収容部３６２に収容して使用し、且つ前記第一操作システムを選択する場合、前記タブレットパソコン２０は、表示装置及びハードディスクとして、前記ノートブック型パーソナルコンピューターホスト１０と通信するので、ユーザーは前記タブレットパソコン２０で複雑なソフトウェアを処理することができる。
【００２０】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２１】
１  ノートブック型パーソナルコンピューターベース
１０  ノートブック型パーソナルコンピューターホスト
１２  キャビネット
１４  マザーボード
１６  キーボード
１８  マウスタッチボード
２０  タブレットパソコン
２２  パワーモジュール
２３，１４１  中央処理装置
２４  ＬＣＤモジュール
２５，１４５  メモリー
２６  フラッシュメモリー
２８  接続インターフェース
３０  支持ブラケット
３２  背板
３４，１２４，３６２４  側壁
３６  前板
４０  コネクター
５０  係合部材
１００  コンピューターシステム
１２２底板，３６２２  底部
１２６上板，３６２６  上部
１４２  電源
１４３  ノースブリッジ
１４４  サウスブリッジ
１４６  ディスプレイカード
【図１】
2012141961.tif 000003
【図２】
2012141961.tif 000004
【図３】
2012141961.tif 000005